(57)【要約】【課題】光ディスク装置などの対物レンズアクチュエータにおいて、サスペンションであるワイヤの固定端位置のばらつきを低減し、チルト特性を改善する。【解決手段】レンズホルダに固定される端子板２０を、レンズホルダを弾性的に支持するワイヤ１３に対して傾斜をつけて配置し、端子板２０のエッジ部の箇所で半田付けすることによりワイヤ１３の固定端位置のばらつきを抑制する。【選択図】図６
2010020886.tif 000002
【特許請求の範囲】
【請求項１】
光ビームをディスクに収束する対物レンズと、
前記対物レンズを保持するレンズホルダと、
前記レンズホルダに固定される端子板と、
固定部と、
一端が前記端子板に固定剤により固定され、かつ、他端が前記固定部に固定される複数のワイヤと、
を備え、
前記端子板は、前記ワイヤに対して所定の角度だけ斜めに配置して前記レンズホルダに固定されており、前記端子板のエッジ部にて前記複数のワイヤを固定剤で固定した対物レンズアクチュエータ。
【請求項２】
前記所定の角度とは、１０度以上４５度以下である請求項１に記載の対物レンズアクチュエータ。
【請求項３】
前記固定剤は、半田である請求項１に記載の対物レンズアクチュエータ。
【請求項４】
前記固定部及び前記レンズホルダのいずれか一方に磁石を備え、他の一方にコイルを備えることにより磁気回路を構成し、前記レンズホルダをフォーカシング方向とトラッキング方向とに駆動可能とした、請求項１に記載の対物レンズアクチュエータ。
【発明の詳細な説明】
【技術分野】
【０００１】
本発明は対物レンズアクチュエータに関し、特に、ディスク状記録媒体であるディスクに光ビームを照射して光学的に情報を記録および再生する光ディスク装置の光ピックアップ装置などに用いられる対物レンズアクチュエータに関するものである。
【背景技術】
【０００２】
光ピックアップ装置は、ＣＤ、ＤＶＤ、Ｂｌｕ−ｒａｙ、ＨＤ−ＤＶＤなどのディスクに光ビームスポットを照射し、ディスクの記録面上にピット列で構成される情報を記録再生する光ディスク装置に用いられる。光ピックアップ装置は、光ビームスポットの形成に使用する対物レンズを駆動するための対物レンズアクチュエータを備えている。
【０００３】
近年の光ディスク装置は、高ＮＡ（高開口数）の対物レンズを用いて光ビームスポットを絞り、高密度に記録されたデータを記録再生するため、ディスクに対する対物レンズの傾きが少ないことが求められる。
【０００４】
すなわち、対物レンズアクチュエータにおいては、対物レンズを保持するレンズホルダを駆動したときにフォーカシング方向及びトラッキング方向外の回転運動であるチルトが少なく、光ビームスポットの収差劣化が少ないことが要求される。
【０００５】
特許文献１には、レンズホルダを駆動したときにフォーカシング方向及びトラッキング方向外の回転運動であるチルトが低減された光ピックアップ装置が、一般的な対物レンズアクチュエータの構成とともに開示されている。
【０００６】
まず、一般的な対物レンズアクチュエータの構成について図面を用いて説明する。図７は従来の一般的な対物レンズアクチュエータの斜視図である。図７に示すように、対物レンズ５１はレンズホルダ５２に保持されており、レンズホルダ５２には端子板５３が固定されている。
【０００７】
固定部５７には固定基板５９が固定されており、サスペンション部材である複数のワイヤ５４の一端５４ｂが半田５６で半田付け固定され、複数のワイヤ５４の他端５４ａは半田５５で端子板５３に半田付け固定されている。
【０００８】
対物レンズ５１とレンズホルダ５２と端子板５３とは一体となっており、ワイヤ５４を介することで弾性を有する状態で固定基板５９に支持されて可動部を構成する。一方、固定部５７には、ゲルホルダ部５８となる空隙が設けられ、この空隙にダンピングゲルが注入され、このダンピングゲルにより可動部の１次モードの振動が減衰される。
【０００９】
レンズホルダ５２を含む可動部は、フォーカシング方向である矢印Ｆｏとトラッキング方向である矢印Ｔｒの方向とへ駆動可能なように構成されるが、固定部には図示しない磁石やヨークからなる磁束供給手段があり、レンズホルダには図示しない複数のコイルが固定され、複数のワイヤ５４を通じてコイルへ通電することにより対物レンズ５１を所望の方向へ駆動できるよう構成されている。
【００１０】
一般に端子板５３は、図７に示すとおりワイヤ５４が延びる方向と平行に配置され、端子板５３に設けられた半田５５の端部から固定基板５９の端部までの距離が複数のワイヤ５４の有効長Ｌになる。
【００１１】
端子板５３には図示しないコイルの端部を通電処理するランドが設けられるが、その様子を図８、図９を用いて説明する。図８は従来の端子板の側面図、図９は従来の端子板の半田付けの形状を示す簡略的な平面図である。
【００１２】
図８に示すように、ワイヤ５４は端子板５３に所定のピッチＰで半田５５により半田付け固定されている。端子板５３には、コイルの端部を通電処理するランドが形成され、各ランドに半田６０が設けられている。ここで、端子板５３とワイヤ５４とは平行（平面視して平行、詳しくは、端子板５３の表面とワイヤ５４の延びる方向が平行）に配置されるため、ワイヤ５４と半田６０とが、図８に示すように側面視した状態で、交差しないようにランドが配置される。すなわち、図示しないコイルの端部を通電するための半田６０の場所を確保しながらワイヤ５４間のピッチＰが決定される。
【００１３】
図９に示すように、端子板５３には、半田５５や半田６０が盛り上がった状態でそれぞれ形成される。そして、半田５５は半田付けしたときの半田量の増減により略半球形状の端面の位置がばらつくが、そのばらつきがワイヤ５２の有効長ＬのばらつきΔＬとなる。
【００１４】
以上、従来の一般的な対物レンズアクチュエータの構成について説明したが、特許文献１には、上記半田５５、半田５６による固定方法の代わりに導電性接着剤を用いた技術が開示されており、主要な構成はほぼ同じである。
【先行技術文献】
【特許文献】
【００１５】
【特許文献１】特開２００６−１３４４１１号公報
【発明の概要】
【発明が解決しようとする課題】
【００１６】
しかしながら、サスペンションであるワイヤ５４を半田付けによって端子板５３に固定すると、半田５５の高さが安定し難く、それぞれのワイヤ５４の相互間でその有効長にばらつきΔＬが生じる。
【００１７】
そのため、図７に示した従来の一般的な対物レンズアクチュエータでは、複数本のワイヤ５４の有効長のばらつきによりバネ定数が不均一となり、レンズホルダ５２をフォーカシングＦｏあるいはトラッキング方向Ｔｒへ駆動する場合にチルトが生じ、光ビームスポットの収差劣化が生じるという課題がある。
【００１８】
さらに、ノートパソコンへ搭載する光ピックアップ装置の対物レンズアクチュエータは高さ制限が厳しく、より薄く構成することも同時に求められる。
本発明は以上の状況の下でなされたものであり、半田付け作業に伴うワイヤの有効長のばらつきを低減し、フォーカス方向又はトラッキング方向への変位時のチルト発生が少なく、かつ、薄型に適した対物レンズアクチュエータを提供することを目的とする。
【課題を解決するための手段】
【００１９】
従来の課題を解決するため、本実施の形態の対物レンズアクチュエータは、光ビームをディスクに収束する対物レンズと、前記対物レンズを保持するレンズホルダと、前記レンズホルダに固定される端子板と、固定部と、一端が前記端子板に固定剤により固定され、かつ、他端が前記固定部に固定される複数のワイヤと、を備え、前記端子板は、前記ワイヤに対して所定の角度だけ斜めに配置して前記レンズホルダに固定されており、前記端子板のエッジ部にて前記複数のワイヤを固定剤で固定したことを特徴とする。
【００２０】
この構成により、端子板のエッジ部にてワイヤの有効長が規制されるとともに、半田などの固定剤の量が変化した場合でも、半田などの固定剤はエッジ部の箇所ではエッジ部までしか達しないので、ワイヤの有効長が端子板のエッジ部までの距離となり、ワイヤの有効長のばらつきを低減することができる。また、端子板をワイヤに対して斜めに配置するので、端子板にコイル線の端部をつなぐ半田を設ける場合でも、この半田がワイヤと接触したり交差したりしなくなるため、ワイヤのピッチ間距離をつめることができて、対物レンズアクチュエータをフォーカシング方向に薄く構成することができる。
【００２１】
また、本実施の形態の対物レンズアクチュエータは、前記端子板を斜めに配置する前記所定の角度とは、１０度以上４５度以下であることを特徴とする。
このように、前記端子板を斜めに配置する角度を１０度以上とすることで、作業能率の低下や不具合の発生を防止することができる。すなわち、前記所定の角度を１０度よりも小さくすると、端子板にコイル接続用の半田などを設けた場合に、前記コイル接続用の半田とワイヤとが接触したり近接したりして、ワイヤ端部の不要部分の切断作業を行い難くなって作業性の低下を招いたり、ワイヤの端子板との接続位置がずれて不具合を生じたりすることがあるが、前記端子板を斜めに配置する角度を１０度以上とすることで、このような不具合の発生を防止できる。また、前記端子板を斜めに配置する角度を４５度以下とすることで、半田などの固定剤とワイヤとを確実に接続することができる。すなわち、前記所定の角度を４５度よりも大きくすると、傾斜した端子板に盛った半田などの固定剤がワイヤを覆う範囲が極めて小さくなったり、固定剤とワイヤとが接触しなくなったりする不具合を生じるおそれがあるが、前記端子板を斜めに配置する角度を４５度以下とすることで、このような不具合の発生を防止できる。
【発明の効果】
【００２２】
以上のように、本実施の形態の対物レンズアクチュエータによれば、端子板のエッジ部でワイヤを半田付けする位置決め精度を向上させることができて、ワイヤ有効長のばらつきを低減することができる。
【００２３】
その結果、レンズホルダを駆動したときに発生するチルトが少なくなり、光ビームスポットの収差劣化が少ない対物レンズアクチュエータを提供することができる。
また、本発明の対物レンズアクチュエータによれば、端子板をワイヤに対して斜めに配置することによりワイヤのピッチ間距離をつめることができるので、対物レンズアクチュエータをフォーカシング方向に薄く構成し、薄型化に適した対物レンズアクチュエータを提供することができる。
【図面の簡単な説明】
【００２４】
【図１】本発明の実施の形態に係る対物レンズアクチュエータを備えた光ディスク装置を示す斜視図
【図２】同対物レンズアクチュエータを備えた光ピックアップ装置を示す斜視図
【図３】同対物レンズアクチュエータを示す斜視図
【図４】同対物レンズアクチュエータを示す分解斜視図
【図５】同対物レンズアクチュエータを示す分解斜視図
【図６】同対物レンズアクチュエータの端子板の半田付け状態の模式図
【図７】従来の一般的な対物レンズアクチュエータの斜視図
【図８】従来の端子板の側面図
【図９】従来の端子板の半田付けの形状を示す図
【発明を実施するための形態】
【００２５】
以下に、本実施の形態について、図面を参照しながら説明する。
図１は本実施の形態に係る対物レンズアクチュエータを備えた光ディスク装置を示す斜視図である。
【００２６】
図１に示すように、光ディスク装置１は、種々の制御を行う制御回路基板２などが設けられた本体筐体部８と、この本体筐体部８から出退可能に配設されたトラバースユニット部３とにより構成されている。
【００２７】
トラバースユニット部３には、ディスク状記録媒体であるディスク（光ディスク）４を回転駆動するスピンドルモータ５と、ディスク４に光ビームスポットを照射して光学的に情報を記録および再生する光ピックアップ装置７などが備えられており、スピンドルモータ５に設けられたターンテーブル６にディスク４をチャッキングして回転可能とされている。トラバースユニット部３には、光ピックアップ装置７がディスク４の半径方向であるトラッキング方向、すなわち矢印Ｔｒ方向に移動可能な状態で配置されている。
【００２８】
なお、図１および後述する図２、図３、図５における矢印Ｆｏ方向はフォーカシング方向であり、光ピックアップ装置７に設けられている対物レンズ１１（図２〜図５参照）を焦点制御する方向である。さらに、矢印Ｆｏ方向と矢印Ｔｒ方向に垂直なＸ軸（接線方向）回りの回転である矢印ＲＡＤはラジアルチルティング方向であり、光ピックアップ装置７に設けられている対物レンズ１１の回転制御方向である。
【００２９】
光ディスク装置１の光ピックアップ装置７は、対物レンズ１１を通じてディスク４に光ビームスポットを照射し、ディスク４から情報を記録再生する際に、制御回路基板２の制御信号に基づいて、対物レンズ１１の位置を、フォーカシング方向、トラッキング方向、ラジアルチルティング方向へそれぞれ制御する。
【００３０】
図２は同対物レンズアクチュエータを備えた光ピックアップ装置を示す斜視図、図３は同対物レンズアクチュエータを示す斜視図、図４、図５は同対物レンズアクチュエータを示す分解斜視図、図６は同対物レンズアクチュエータの端子板の半田付け状態の模式図である。
【００３１】
図２〜図４に示すように、対物レンズ１１はレンズホルダ１２に保持されており、レンズホルダ１２には端子板２０が固定されている。固定部であるヨークベース１７には固定基板１８が固定されており、サスペンション部材である複数のワイヤ１３の一端が半田２４で半田付け固定され、複数のワイヤ１３の他端が半田２２で端子板２０に半田付け固定されている。
【００３２】
対物レンズ１１とレンズホルダ１２と端子板２０とは一体となるよう互いに固定されており、これらの対物レンズ１１、レンズホルダ１２および端子板２０は、ワイヤ１３で固定基板１８より弾性を有する状態で支持されて可動部を構成する。つまり、対物レンズ１１、レンズホルダ１２および端子板２０からなる可動部が、固定部の一例としてのヨークベース１７により、ワイヤ１３を介して、フォーカシング方向、トラッキング方向、ラジアルチルティング方向へ移動可能な状態で、弾性を有する状態で支持されている。
【００３３】
レンズホルダ１２にはトラッキングコイル１５と、フォーカシングコイル１６Ａ、およびフォーカシングコイル１６Ｂが設けられており、これらのトラッキングコイル１５、フォーカシングコイル１６Ａ、１６Ｂは、複数のワイヤ１３を通じて通電可能に端線処理されている。すなわち、端子板２０上の半田２１でコイルの端部を導通処理している。
【００３４】
また、図３、図４に示すように、ヨークベース１７には複数の磁石１４が取り付けられており、各磁石１４にトラッキングコイル１５またはフォーカシングコイル１６Ａ、１６Ｂが臨むようにレンズホルダ１２が配設されている。そして、これらの磁石１４とトラッキングコイル１５、フォーカシングコイル１６Ａ、１６Ｂとにより磁気回路が構成され、トラッキングコイル１５とフォーカシングコイル１６Ａ、１６Ｂとは、磁石１４より磁束の供給を受けている。
【００３５】
以上のように、本実施の形態に係る対物レンズアクチュエータ１０は、光ビームをディスク４に収束する対物レンズ１１と、対物レンズ１１を保持するレンズホルダ１２と、レンズホルダ１２に固定される端子板２０と、複数のワイヤ１３を介して、端子板２０を弾性を有する状態で支持する固定部（この実施の形態ではヨークベース１７）と、固定部側に取り付けられた磁石１４とレンズホルダ１２に取り付けられたトラッキングコイル１５、フォーカシングコイル１６Ａ、１６Ｂとを有する磁気回路と、を備えている。そして、前記磁気回路によりレンズホルダ１２および対物レンズ１１をフォーカシング方向とトラッキング方向とに駆動可能に構成している。
【００３６】
以上のように構成される対物レンズアクチュエータ１０の動作であるが、矢印Ｆｏのフォーカシング方向、矢印Ｔｒのトラッキング方向、矢印ＲＡＤのラジアルチルティング方向へ、コイルの通電にて対物レンズ１１を駆動する。例えばフォーカシングコイル１６Ａとフォーカシングコイル１６Ｂとに印加する電流が同一方向の場合、対物レンズ１１はフォーカシング方向へ駆動され、逆方向の場合、ラジアルチルティング方向へ回転駆動される。
【００３７】
また、本実施の形態に係る対物レンズアクチュエータ１０は、図６などに示すように、端子板２０がワイヤ１３に対して約２０°の角度αをつけて傾斜して配置している。なお、ワイヤ１３に対する端子板２０の傾斜角度αは、１０度以上４５度以下であることが好ましい。
【００３８】
このように、本実施の形態に係る対物レンズアクチュエータ１０では、端子板２０をワイヤ１３に対して斜めに配置している。より詳しくは、端子板２０におけるコイル接続用の半田２１を付ける部分がワイヤ１３から離反し、かつ端子板２０におけるワイヤ接続用の半田２２を付ける部分がワイヤ１３に接近または当接する姿勢となるように、端子板２０をワイヤ１３に対して傾斜させて配置している。これにより、ワイヤ１３と、コイル接続用の半田２１とが空間的に干渉することがない状態で構成できており、ワイヤ１３間のピッチをつめることが可能となっている。すなわち、コイル線の端部をつなぐランド部の半田２１とワイヤ１３の他端部の半田２２とを側面視して同一となる高さ（対物レンズアクチュエータ１０の厚み方向に対して同一ラインとなる位置）にでき、ワイヤ１３のピッチ間距離をつめることができるので、対物レンズアクチュエータ１０をフォーカシング方向に薄く構成でき、ひいては薄型化に適した対物レンズアクチュエータを提供することができる。
【００３９】
また、端子板２０をワイヤ１３に対して傾斜させて配置したので、図６に示すように、ワイヤ１３の他端部が端子板２０のエッジ部Ｅに極めて近接または当接する。したがって、端子板２０のエッジ部Ｅにてワイヤ１３の有効長が規制されるとともに、半田２２の量が図６に示す破線のようにばらついても半田２２はエッジ部Ｅの箇所ではエッジ部Ｅまでしか達しないので、ワイヤ１３の有効長ばらつきがほとんど出なくなる。その結果、レンズホルダ１２などの可動部を駆動したときに発生するチルトが少なくなり、光ビームスポットの収差劣化が少ない対物レンズアクチュエータ１０を提供することができる。
【００４０】
以上のように本実施の形態に係る対物レンズアクチュエータ１０では、端子板２０は、ワイヤ１３に対して所定の角度だけ斜めに配置してレンズホルダ１２に固定されており、端子板２０のエッジ部にて複数のワイヤ１３を固定剤としての半田２２で固定している。
【００４１】
また、上記のように、ワイヤ１３に対する端子板２０の傾斜角度αを１０度以上とすることで、作業能率の低下や不具合の発生を防止することができる。すなわち、傾斜角度αを１０度よりも小さくすると、端子板２０に、コイルの端部を接続するための半田２１を設けた場合に、ワイヤ１３の他端部とコイル接続用の半田２１とが接触したり近接したりして、その後のワイヤ１３の他端部における不要部分の切断作業などを行い難くなって作業性の低下を招いたり、コイル接続用の半田２１とワイヤ１３の他端部とが当接することで、ワイヤ１３と端子板２０とを接続する位置がずれて不具合を生じたりすることがある。これに対して、端子板２０の傾斜角度αを１０度以上とすることで、このような不具合の発生を防止できる。
【００４２】
また、ワイヤ１３に対する端子板２０の傾斜角度αを４５度以下とすることで、ワイヤ１３と端子板２０とを半田２２により確実に接続することができる。すなわち、ワイヤ１３に対する端子板２０の傾斜角度αを４５度よりも大きくすると、傾斜した端子板２０に盛った半田２２がワイヤ１３を覆う範囲が極めて小さくなったり、半田２２とワイヤ１３とが接触しなくなったりする不具合を生じるおそれがあるが、傾斜角度αを４５度以下とすることで、このような不具合の発生を防止できて、良好な信頼性を維持することができる。
【００４３】
以上のように本実施の形態に係る対物レンズアクチュエータ１０では、端子板２０は、ワイヤ１３に対して１０度以上４５度以下の角度だけ斜めに配置してレンズホルダ１２に固定されており、端子板２０のエッジ部にて複数のワイヤ１３を固定剤で固定している。また、固定剤として、本実施の形態に係る対物レンズアクチュエータ１０では、固定剤として、半田を用いている。
【００４４】
なお、上記の実施の形態ではワイヤ１３の一端が固定される固定部がヨークベース１７により構成されている場合を述べたが、これに限るものではなく、固定部は、ワイヤ１３を介してレンズホルダ１２や対物レンズ１１などの移動対象となる部分（可動部）を相対的に移動可能に支持できる部分であればよく、光ピックアップ装置７のベース部分など、前記可動部を移動可能に支持できるものであればよい。
【００４５】
また、この実施の形態では、固定部側に磁石１４が取り付けられ、レンズホルダ１２などの可動部側にトラッキングコイル１５、フォーカシングコイル１６Ａ、１６Ｂが取り付けられているが、これに限るものではなく、固定部側にトラッキングコイル１５、フォーカシングコイル１６Ａ、１６Ｂを取り付け、レンズホルダ１２などの可動部分側に磁石１４を取り付けてもよい。
【００４６】
また、上記実施の形態では、ワイヤ１３と端子板２０とを固定する固定剤として半田２２を用いた場合を述べた。固定剤として半田を用いた場合には、高温高湿下においても長期安定性能が高く、利用し易い利点がある。しかし、これに限るものではなく、接着性と電気的な導通性を有する導電性固定剤であればどのようなものでも用いることは可能であり、高分子材料からなる接着剤などを用いてもよい。
【産業上の利用可能性】
【００４７】
本発明にかかる対物レンズアクチュエータは、光ディスク装置の対物レンズアクチュエータに限らず、精密な光学機器に使用されるレンズアクチュエータにも応用することができ、高精度なレンズ位置追従が必要な、カメラや顕微鏡などの光学精密機器等の用途に有用である。
【符号の説明】
【００４８】
１１    対物レンズ
１２    レンズホルダ
１３    ワイヤ
１４    磁石
１５    トラッキングコイル
１６    フォーカシングコイル
１７    ヨークベース
１８    固定基板
２０    端子板
２１    半田（コイル線と端子板）
２２    半田（ワイヤと端子板）
【図１】
2010020886.tif 000003
【図２】
2010020886.tif 000004
【図３】
2010020886.tif 000005
【図４】
2010020886.tif 000006
【図５】
2010020886.tif 000007
【図６】
2010020886.tif 000008
【図７】
2010020886.tif 000009
【図８】
2010020886.tif 000010
【図９】
2010020886.tif 000011